(57)【要約】【課題】  紙幣搬送装置からランダム間隔に搬送される紙幣を一枚ずつ整順する紙幣整順機構において、搬送紙幣の折れ曲がりやシワ等をなくし紙幣詰まり等の不具合を防止する。【解決手段】  紙幣整順手段は、導入手段としての回転羽根車（１１０）の回転摩擦力により紙幣（Ｍ）が一時的に一次貯留部（１４３）へと搬送され、往復動作可能な押出し板（１５０）が一次貯留部の紙幣を押圧することで、搬送経路から偏倚する二次貯留部（１７２）へ紙幣を移動させる。二次貯留部に整列した紙幣には回転羽根車の搬送作用が及ばないので、折れ曲がりやシワ等が発生しなくなり、搬出の際の紙幣詰まり等を防止することができる。【選択図】  図７
2006209628.tif 000002
【特許請求の範囲】
【請求項１】
外部から搬送された紙幣を一枚ずつ整順して搬出する紙幣整順手段と、前記紙幣整順手段から搬出された紙幣の金種を識別し振り分ける紙幣振分手段と、前記紙幣振分手段によって振り分けられた紙幣を金種別に積層して収容する複数段の紙幣収容手段とを備えてなる紙幣スタッカ装置であって、
前記紙幣整順手段は、搬送された紙幣を横長に立てた状態で内部へ導入する導入手段と、
前記導入手段による紙幣導入経路の延長線上に形成され導入した複数枚の紙幣を一旦貯留し得る第１貯留部と、
前記紙幣導入経路から偏倚する位置に形成され複数枚の紙幣を集積させた状態で整列して貯留し得る第２貯留部と、
前記第１貯留部に貯留する紙幣をその片面側を押圧して前記第２貯留部へ移動させる押圧板を有する押圧手段と、
前記第２貯留部に貯留した紙幣を一枚ずつ繰り出して前記紙幣振分手段へ排出するローラ部材と、を備えることを特徴とする紙幣スタッカ装置。
【請求項２】
前記第１貯留部には、前記紙幣の上辺部を保持する上仕切り部材と、前記上仕切り部材よりも保持領域が狭く前記紙幣の下辺部を保持する下仕切り部材とが設けられるとともに、当該各仕切り部材を介して前記第１貯留部と前記第２貯留部とが仕切られる形状を有していることを特徴とする請求項１に記載の紙幣スタッカ装置。
【請求項３】
前記第２貯留部には前記押圧手段の押圧方向に対向する壁面が形成され、当該第２貯留部に集積して貯留した紙幣束の一方の面側を前記壁面に当接させるとともに、当該紙幣束の他方の面側に対しては前記押圧板を往復振動させることで押圧力を繰り返し作用させることを特徴とする請求項１又は２に記載の紙幣スタッカ装置。
【発明の詳細な説明】
【技術分野】
【０００１】
本発明は、遊技島の各遊技媒体貸出機または遊技機等に投入され紙幣搬送装置によって搬送される紙幣を金種別に振り分けて回収するための紙幣スタッカ装置に関し、特に紙幣搬送装置からランダムに搬送される紙幣を一枚ずつ整順することで、紙幣を順次識別し確実に振り分けることを可能にする紙幣整順機構に関するものである。
【背景技術】
【０００２】
従来、パチンコホール等の遊技店舗においては、パチンコ機等の複数の遊技台と、各遊技台間に遊技球または遊技メダル等の遊技媒体を遊技者に貸し出す台間玉貸機とを直列状に配置して遊技島を構築している。例えば紙幣を投入することで遊技媒体を貸し出す台間玉貸機を備える遊技島においては、台間玉貸機に投入された紙幣を紙幣搬送装置により島端の金庫ＢＯＸへ搬送し、金庫ＢＯＸ内の紙幣スタッカ装置によって紙幣を一時的に保管し回収するようにしている。
【０００３】
近年、千円紙幣に限らず五千円、一万円等の高額紙幣に対応する台間玉貸機が普及し複数金種の紙幣を効率的に回収するために上記紙幣スタッカ装置には、搬入された紙幣の金種を識別し振り分ける紙幣振分手段と、金種別に振り分けられた紙幣をそれぞれ収容する紙幣収容手段とが備えられている。また、各遊技者は任意のタイミングで台間玉貸機へ紙幣を投入するのに加え、各台間玉貸機に投入された紙幣が紙幣搬送装置によって直列的に搬送されるため、島端に設けられている紙幣スタッカ装置へは紙幣の種類や間隔がランダムな状態で搬送される。例えば紙幣間隔が非常に短くまたは端部が重なった状態で搬送された紙幣であっても紙幣振分手段による確実な振り分けができるようにするために、紙幣スタッカ装置の紙幣導入部分には、短間隔の紙幣を一旦貯留し整列させた後、一枚ずつ繰り出して紙幣振分手段へ搬出する紙幣整順手段が設けられている。
【０００４】
従来の紙幣整順手段は、かかる機能を満足させるために複雑な機構を採用していたが、より簡易な構成を目的として例えば特許文献１に開示される紙幣整順手段が提案されている。この紙幣整順手段は、図１の平面図に示されるように、紙幣を横長に立てた状態で内部に搬送するための回転する導入羽根車及び搬送羽根車と、複数枚の紙幣を一時的に収納する一時収納部と、搬送羽根車による紙幣の搬送状態を保持するため揺動可能に吊り下げられた板状部材である保持手段とを備えている。
【０００５】
【特許文献１】特許第３２８３６７５号公報
【発明の開示】
【発明が解決しようとする課題】
【０００６】
しかし、上記の紙幣整順手段によれば、保持手段により保持された紙幣には羽根車によって常に搬送摩擦力が作用する等の理由から紙幣の折れ曲がりやシワ、座屈等が発生する場合があり、繰り出しの際の紙幣詰まりの原因となる等の問題があった。
【０００７】
本発明は、こうした従来の問題に鑑みてなされたものであり、外部から搬送された紙幣の折れ曲がりやシワ等をなくし、または紙幣詰まり等の不具合を防止し、若しくは簡易な構成で実現できる等の紙幣整順手段を備える紙幣スタッカ装置を提供することを目的としている。
【課題を解決するための手段】
【０００８】
上述した課題を解決するため、請求項１に記載の発明は、外部から搬送された紙幣を一枚ずつ整順して搬出する紙幣整順手段と、前記紙幣整順手段から搬出された紙幣の金種を識別し振り分ける紙幣振分手段と、前記紙幣振分手段によって振り分けられた紙幣を金種別に積層して収容する複数段の紙幣収容手段とを備えてなる紙幣スタッカ装置であって、前記紙幣整順手段は、搬送された紙幣を横長に立てた状態で内部へ導入する導入手段と、前記導入手段による紙幣導入経路の延長線上に形成され導入した複数枚の紙幣を一旦貯留し得る第１貯留部と、前記紙幣導入経路から偏倚する位置に形成され複数枚の紙幣を集積させた状態で整列して貯留し得る第２貯留部と、前記第１貯留部に貯留する紙幣をその片面側を押圧して前記第２貯留部へ移動させる押圧板を有する押圧手段と、前記第２貯留部に貯留した紙幣を一枚ずつ繰り出して前記紙幣振分手段へ排出するローラ部材と、を備えることを特徴とする。
【０００９】
請求項１に記載の紙幣スタッカ装置によれば、押圧板が第１貯留部に貯留する紙幣を押圧し、搬送経路線上から偏倚する位置に形成された第２貯留部へ紙幣を移動させる。このため、第２貯留部に貯留する紙幣に対しては、導入手段による搬送作用が全く及ばなくなり、従来課題とされていた搬送手段等の搬送力が常時作用することによる紙幣の折れ曲がりやシワ等をなくし、これに起因する搬送紙幣の詰まり等の不具合を防止することができる。
【００１０】
請求項２に記載の発明は、請求項１に記載の紙幣スタッカ装置であって、前記第１貯留部には、前記紙幣の上辺部を保持する上仕切り部材と、前記上仕切り部材よりも保持領域が狭く前記紙幣の下辺部を保持する下仕切り部材とが設けられるとともに、当該各仕切り部材を介して前記第１貯留部と前記第２貯留部とが仕切られる形状を有していることを特徴とする。
【００１１】
請求項２に記載の紙幣スタッカ装置によれば、第１貯留部へ搬送された紙幣の上辺部を保持する上仕切り部材よりも、紙幣の下辺部を保持する下仕切り部材の方が保持領域が狭いので、押出し部材が紙幣を押圧することにより紙幣をその下辺部を先に一定して第２貯留部側へ移動することができ、スムーズな整列を可能にする。
【００１２】
請求項３に記載の発明は、請求項１又は２に記載の紙幣スタッカ装置であって、前記第２貯留部には前記押圧手段の押圧方向に対向する壁面が形成され、当該第２貯留部に集積して貯留した紙幣束の一方の面側を前記壁面に当接させるとともに、当該紙幣束の他方の面側に対しては前記押圧板を往復振動させることで押圧力を繰り返し作用させることを特徴とする。
【００１３】
請求項３に記載の紙幣スタッカ装置によれば、第２貯留部に貯留した紙幣束に対しその集積方向に往復振動する押出板により圧縮振動を与えるので、各紙幣の密着状態等を解消するとともに各紙幣を迅速に整列させることができる。
【発明の効果】
【００１４】
上述したように本発明に係る紙幣スタッカ装置によれば、押圧手段の押圧板が第１貯留部に貯留する紙幣を押圧することで、搬送経路の延長線上から偏倚する位置に形成された第２貯留部へ紙幣を移動させる。このため、第２貯留部に貯留する紙幣に対しては、導入手段による搬送作用が全く及ばなくなり、従来課題とされていた搬送手段等の搬送力が常時作用することによる紙幣の折れ曲がりやシワ等をなくし、これに起因する搬送紙幣の詰まり等の不具合を防止することができる。
【発明を実施するための最良の形態】
【００１５】
以下、本発明の好適な一実施形態を図面を参照ながら説明する。まず、本紙幣スタッカ装置が設置される遊技設備の概要を図２に基づいて説明する。なお、図２は、パチンコホールにおいて遊技島を構成する一要部を示した斜視図である。
【００１６】
遊技島は、複数の例えばパチンコ機１である各遊技機の間に遊技球等の遊技媒体を遊技者に貸し出す台間玉貸機２が直列状に配置して構築されている。台間玉貸機２の背面には遊技球の貸し出しに投じられた正規紙幣を排出する紙幣排出口が形成されており、紙幣排出口に密接して各台間玉貸機２の背面側に紙幣搬送装置３が設置されている。
【００１７】
紙幣搬送装置３は、図２の円内断面図に示すように、紙幣Ｍに接する面側が搬送方向に常時移動する無端状の搬送チェーン３０１と、装置の側壁面を形成するパネル部材３０２において回転自在に取り付けたローラ３０３とにより紙幣Ｍを挟持して、島端隔壁４に固着された金庫ＢＯＸ５へ搬送する。
【００１８】
金庫ＢＯＸ５は、遊技島に設置されている各台間玉貸機２に投入された複数金種の紙幣を金額毎に振り分け集積することで効率良く投入紙幣を回収するための装置であり、紙幣回収用の開閉可能な施錠扉を有する箱体内部に紙幣スタッカ装置を収容し装備している。紙幣スタッカ装置は、紙幣搬送装置３によって搬送導入された紙幣を一枚ずつ整順して搬出する紙幣整順部１００と、紙幣整順部１００から搬出された紙幣の金種を識別し振り分ける紙幣振分部２００と、紙幣振分部２００によって振り分けられた紙幣を金種別に積層して収容する複数段の紙幣収容部３００とを有して構成され、それぞれの機構ユニットが組み合わされて装置全体が形成されている。
【００１９】
遊技島の各台間玉貸機２へは複数金種の紙幣が遊技者による任意のタイミングで投じられるので、これら金種が混合した紙幣が紙幣搬送装置３によりランダムな間隔で搬送される。このため、紙幣スタッカ装置は、例えば紙幣の間隔が非常に短くまたはそれぞれの端部が重なった状態で搬送されてきた場合でも正確に金種を識別して振り分けられるように、搬送された複数の紙幣を整列させた状態で一旦貯留し、更に一枚ずつ搬出する機能を有する上述の紙幣整順部１００が装置の紙幣導入部分に設けられている。
【００２０】
本紙幣スタッカ装置における上述の紙幣整順部１００の構造を図３〜図７に基づいて詳細に説明する。ここで、図３は紙幣整順部１００の平面図、図４はその側面図、図５はその正面図であって、これらの図は後述する押出し板（１５０）が縮退し紙幣を受け入れる状態にある内部の構造を表した図である。また、図６は紙幣整順部１００の正面図、図７は後述の仕切り板（１４２）と天板（１４２ａ）等の板金部材を取り除いた平面図であって、これらの図は押出し板（１５０）が進出し紙幣を搬出する状態にある内部構造を表した図である。
【００２１】
これらの図に示される実施形態の紙幣整順部１００において、紙幣搬送装置（３）から搬送された紙幣Ｍを最初に機構内部へ導入する部分には、適度な弾性反発力を有する短冊形状のゴム体である羽根部材１１０ａを複数有し、それぞれの基端側を羽根部材１１０ａを回転軸１１２を中心に放射状に取り付けて当該回転軸１１２を軸として回転可能に取り付けられる回転羽根車１１０と、同じく回転軸１１２を軸として回転可能であり回転羽根車１１０よりも下方かつ羽根部材１１０ａよりも短尺のゴム板体である羽根部材１１１ａを複数有する回転羽根車１１１が設けられている。
【００２２】
また、紙幣整順部１００の紙幣導入部分には、所定の間隔をおいて相対向して起立する壁板部１０２、１０３が基板フレーム１０１に固定されている。なお、各壁板部１０２、１０３の間隙は紙幣整順部１００の紙幣導入路を形成し、紙幣搬送装置（３）による紙幣搬送方向の延長線上に位置している。
【００２３】
上述の回転羽根車１１０、１１１は、羽根部材１１０ａ、１１１ａの回転領域の一部が紙幣導入路に交わるようにして配置されている。これにより、横長に立てた状態で搬送された紙幣Ｍは、回転する羽根部材１１０ａ、１１１ａの先端部分が片面に接触するようになっている。すなわち、羽根部材１１０ａ、１１１ａは、その回転力により紙幣Ｍを壁板部１０２側に押し付けて撓み、その撓みによる弾性力に起因する摩擦力を紙幣Ｍに付与するとともに自身の回転力を伝えることで、紙幣Ｍを横長に立てた姿勢を維持しつつ壁板部１０２、１０３に沿い装置内部へと導入する。
【００２４】
上述の回転羽根車１１０、１１１等からなる紙幣導入手段による導入経路の延長線上には、導入された紙幣Ｍの底辺部分を支承し搬送方向（図面においてＸ方向）へ案内する断面略コの字状の案内溝が形成された長尺の案内部材１４１が基板フレーム１０１に固着されている。また、案内部材１４１の上方には紙幣Ｍの上辺部分を保持する仕切り板１４２が配置され、仕切り板１４２は紙幣導入部分から搬送方向（Ｘ方向）へ延びる壁板部１０２とともに、搬送中に紙幣Ｍを倒れないように保持している。
【００２５】
なお、案内部材１４１、仕切り板１４２及び壁板部１０２等により概ね画成される領域空間は、上述の紙幣導入手段によって導入された紙幣Ｍを一時的に複数枚貯留し得る一次貯留部１４３となっている。ここで、一次貯留部１４３の搬送方向長さは一般的な紙幣の長手方向長さに相当し、紙幣Ｍが一次貯留部１４３に搬送された状態では、上述の回転羽根車１１０、１１１による回転摩擦力が紙幣Ｍに及ばない離間した位置に一次貯留部１４３が形成されている。
【００２６】
また、一次貯留部１４３の上部を覆う天板部１４２ａは、仕切り板１４２の上部において直角に曲折して一体的に形成されるもので、この天板部１４２ａに形成された取り付けブラケットを介して紙幣整順部１００の図示しない外郭フレームに上記仕切り板１４２が固定されている。
【００２７】
また、一次貯留部１４３の搬送方向ほぼ中央には、上述の紙幣導入部分に設けられているものと同様構造の回転羽根車１２０が設けられている。すなわち、回転羽根車１２０は、適度な弾性反発力を有する短冊形状のゴム体である複数の羽根部材１２０ａを回転軸１２２を中心に放射状に取り付け、羽根部材１２０ａの回転領域の一部が一次貯留部１４３に交わるように配置されている。
【００２８】
紙幣導入手段により一次貯留部１４３に導入された紙幣Ｍは、その片面が回転する羽根部材１２０ａに接触することにより回転力の成分が伝えられて一次貯留部１４３内に搬送される。このように、一次貯留部１４３側に設けられた回転羽根車１２０は主として接触摩擦により紙幣Ｍを搬送するので、押し付け力を伴う上述の回転羽根車１１０、１１１に比べて紙幣Ｍに作用する搬送力が小さいものとなっているが、紙幣Ｍを一次貯留部１４３へ完全に搬送するための補助的な搬送手段として機能する。
【００２９】
なお、各回転羽根車１１０、１１１、１２０の回転軸１１２、１２２は、装置の図示しない外郭を構成する板金フレームに設けられたベアリング等により回動自在に取り付けられ、また回転羽根車１１０、１１１、１２０のそれぞれは、一の回転モータ１３０により回転駆動される。すなわち、回転モータ１３０の回転駆動軸に歯車１３１が接続し、回転モータ１３０により発生する回転力が歯車１３２、１３３を介して回転羽根車１１０、１１１の回転軸１１２に接続する歯車１３４に伝達される。また、回転羽根車１２０は、その回転軸１２２に接続したプーリと歯車１３３に接続した同軸のプーリとの間にタイミングベルト１３５が掛け渡されることで、回転モータ１３０の回転力が回転羽根車１２０の回転軸１２２に伝達されるようになっている。
【００３０】
上述の一次貯留部１４３の壁板部１０２側には、当該一次貯留部１４３へ進出しまた退避する位置に往復移動し、その移動方向に対して垂直に起立する押出し板１５０が設けられている。押出し板１５０の背後（一次貯留部１４３とは反対側）には、押出し板１５０に垂直に接続するとともに水平に配置された底板部１５４と、底板部１５４の両端に沿って垂直に起立するブラケット板１５３ａ、１５３ｂが固着され、更にブラケット板１５３ａ、１５３ｂの外方側面にそれぞれ対をなすローラ部材１５１ａ、１５１ｂ及び１５２ａ、１５２ｂが回動自在に設けられている。
【００３１】
基板フレーム１０１には、断面略コの字状の一対の案内レール１６０ａ、１６０ｂが、互いに開口側を向かい合わせて上述の２組のローラ部材１５１ａ、１５１ｂ、１５２ａ、１５２ｂの幅だけ平行に離間するとともに、紙幣Ｍの搬送方向に直交する方向（図面においてＹ方向）に沿って水平状態で固着されている。図３〜図７に示されるように、回動自在なローラ部材１５１ａ、１５１ｂ、１５２ａ、１５２ｂを案内レール１６０ａ、１６０ｂの内側に挿入することで、押出し板１５０が紙幣Ｍの搬送方向に直交する方向に沿って直線的に往復移動自在に取り付けられる。
【００３２】
押出し板１５０は、回転モータ１６１を駆動源とするクランク機構により所定ストロークで往復動作するように構成されている。すなわち、回転モータ１６１の回転駆動軸１６２には、クランク軸１５８が取り付けられた平板状のクランク腕１５７が接続し、更にブラケット板１５３ａ、１５３ｂ間に架設した枢軸１５５とクランク軸１５８との間を連接部材１５６が枢支されている。回転モータ１６１に接続したクランク軸１５８が回転することにより、押出し板１５０は、一次貯留部１４３において退避する位置から（図５を参照）、一次貯留部１４３側に進出して回転羽根車１２０の回転半径よりも先の位置（図６を参照）までのストロークを有して往復動作するように構成されている。
【００３３】
一次貯留部１４３に隣接し上述の押出し板１５０が進出する側に形成される領域空間は、当該押出し板１５０によって一次貯留部１４３から押し出された紙幣を更に貯留する二次貯留部１７２となっている。すなわち、二次貯留部１７２は、仕切り板１４２及び案内部材１４１の一方の案内壁部１４２ａにより一次貯留部１４３と仕切られ、更に押出し板１５０に対向して垂直に起立する起立壁板１７１とにより概ね区切られて形成されている。これにより、二次貯留部１７２は、上述の回転羽根車１１０、１１１、１２０による紙幣Ｍの搬送経路の線上に位置せず、そこから押出し板１５０の進出方向（図面において−Ｙ方向）に偏倚した位置に形成されている。
【００３４】
二次貯留部１７２の下方には、起立壁板１７１に向かって下り勾配の傾斜面部１７３が設けられ、起立壁板１７１と傾斜面部１７３の下辺との間は、紙幣Ｍの搬出口１９０に連通する間隙となっている。更に起立壁板１７１及び傾斜面部１７３の下方には、図５及び図６に示す矢印方向にそれぞれ回転する繰り出しローラ１８１、１８２が設けられている。各繰り出しローラ１８１、１８２は略円筒形状を有し、これらの回転軸は起立壁板１７１及び傾斜面部１７３の仮想の交差線と平行している。これにより、二次貯留部１７２において傾斜面部１７３上に横長に整列して貯留された複数紙幣の束のうち起立壁板１７１側に最も近い紙幣Ｍのみが自重落下により上記間隙を抜け、その下辺が回転する各繰り出しローラ１８１、１８２に挟持されて繰り出されることで搬出口１９０から外部（紙幣振分部２００側）へ搬出される。
【００３５】
次に、本紙幣スタッカ装置における、かかる構造の紙幣整順部１００の動作を説明する。紙幣搬送装置（３）から紙幣Ｍが本紙幣スタッカ装置に送られてきた際には、図３に示されるように、紙幣整順部１００の押出し板１５０が縮退した位置で静止し、壁板部１０２、１０３の間隙により形成される紙幣導入路へ紙幣Ｍが横長に立てた状態で搬入される。
【００３６】
紙幣導入路の回転羽根車１１０、１１１は、常時、図３に示す時計回りの方向、すなわち紙幣導入路において紙幣Ｍを内部へ導入する方向に回転しており、搬入された紙幣Ｍの片面に回転する羽根部材１１０ａ、１１１ａの先端部分が接触する。同時に、羽根部材１１０ａ、１１１ａは、その回転力により紙幣Ｍを壁板部１０２側に押し付けて撓み、その撓みによる弾性力に起因する摩擦力を紙幣Ｍに付与するとともに、自身の回転力を伝えることで一次貯留部１４２へと導入する。
【００３７】
この際、図５に示されるように、搬送中の紙幣Ｍは、その上辺部分が仕切り板１４２と壁板部１０２により倒れないように保持されつつその下辺部分が案内部材１４１により搬送方向に案内され、更に回転する回転羽根車１２０の接触摩擦力により送り出されて一次貯留部１４２へと搬送される。
【００３８】
なお、紙幣搬送装置（３）の搬出口付近に取り付けた不図示の紙幣センサが新たな紙幣Ｍの搬入を検知した場合、紙幣整順部１００は、押出し板１５０の縮退状態を維持する。これにより、複数枚の紙幣Ｍが短間隔で搬送されてきた場合には、これら紙幣群を一次貯留部１４２において重ねた状態で一時的に貯留する。
【００３９】
紙幣搬送装置（３）による新たな紙幣Ｍの搬入がない時間帯においては、紙幣整順部１００は、回転モータ１６１を回転させクランク機構による押出し板１５０の往復移動を繰り返して動作させる。このとき、一次貯留部１４２にて蓄積されていた紙幣Ｍは、押出し板１５０の進出動作により押圧され二次貯留部１７２へ押し出される。より詳細には、図６に示されるように、紙幣Ｍの上辺部分を保持する仕切り板１４２の高さ幅よりも、紙幣Ｍの下辺部分を保持する案内壁部１４１ａの高さ幅の方が小さく保持領域が狭いので、押出し板１５０が進出して紙幣Ｍを押圧すると、紙幣Ｍはその下辺部分の方が上辺部分より先に案内壁部１４１ａから逸脱し、傾斜面部１７３に従って斜めの姿勢で二次貯留部１７２へとスムーズに滑り落ちる。
【００４０】
更には、図７に示されるように、二次貯留部１７２に貯留した紙幣束の一方の面側を起立壁板１７１に当接させ、押出し板１５０が往復移動を繰り返すことにより、紙幣束に対しその集積方向に繰り返し圧縮振動を与える。これにより、各紙幣Ｍの密着状態等を解消するとともに、各紙幣Ｍを水平に立てた状態で迅速に整列させる。
【００４１】
二次貯留部１７２は、回転羽根車１１０、１１１等による導入経路の延長線から偏倚する位置に形成され、紙幣Ｍが二次貯留部１７２に搬送された状態では回転羽根車１１０、１１１等の回転摩擦力が紙幣Ｍに全く作用しないため、これら摩擦力による紙幣Ｍの折れ曲がりやシワ、座屈等が発生するおそれがなくなり、搬出の際の紙幣詰まり等を防止することができる。
【００４２】
図６に示されるように、二次貯留部１７２において整列した複数紙幣のうち起立壁板１７１側から紙幣Ｍが自重落下し、互いに逆方向に回転する各繰り出しローラ１８１、１８２が紙幣Ｍを一枚ずつ挟持して繰り出し、搬出口１９０を通して外部へ搬出する。
【００４３】
上述した本実施形態の紙幣整順部１００を備える紙幣スタッカ装置によれば、紙幣搬送装置３によりランダム間隔で搬送されてくる紙幣Ｍを一次貯留部１４３に搬送して一旦貯留し、更に往復動する押出し板１５０が押圧することにより、紙幣Ｍを搬送経路の延長線上から偏倚する位置に形成された二次貯留部１７２へ移動させて整列させる。このため、二次貯留部１７２に貯留する紙幣Ｍに対しては、回転羽根車１１０、１１１、１２０による回転摩擦力が全く作用しなくなるので、これら摩擦力による紙幣Ｍの折れ曲がりやシワ、座屈等が発生するおそれがなくなり、搬出の際の紙幣詰まり等を防止することができる。
【００４４】
また、一次貯留部１４３へ搬送された紙幣Ｍの上辺部分を保持する仕切り板１４２の高さ幅よりも、紙幣Ｍの下辺部分を保持する案内壁部１４１ａの高さ幅の方が小さいので、押出し板１５０が紙幣Ｍを押圧することで、紙幣Ｍを一定してその下辺部分を先に斜めの姿勢で滑り落下させ、二次貯留部１７２においてスムーズに整列させることができる。
【００４５】
また、押出し板１５０が往復動作を繰り返すことにより、二次貯留部１７２に貯留した紙幣束に対しその集積した方向に繰り返し圧縮振動を与えるので、各紙幣Ｍの密着状態等を解消するとともに各紙幣Ｍを水平に立てた状態で迅速に整列させることができる。
【図面の簡単な説明】
【００４６】
【図１】図１は従来例による紙幣整順手段の構成を表した平面図である。
【図２】図２は本発明の一実施形態であり、パチンコホールにおいて遊技島を構成する一要部を示した斜視図である。
【図３】図３は紙幣スタッカ装置の一実施形態による紙幣整順部の内部構造を表す平面図である。
【図４】図４は紙幣スタッカ装置の一実施形態による紙幣整順部の内部構造を表す側面図である。
【図５】図５は紙幣スタッカ装置の一実施形態による紙幣整順部の内部構造を表す正面図である。
【図６】図６は紙幣スタッカ装置の一実施形態による紙幣整順部の内部構造を更に表す正面図である。
【図７】図７は紙幣スタッカ装置の一実施形態による紙幣整順部の内部構造を更に表す平面図である。
【符号の説明】
【００４７】
１…パチンコ機、  ２…台間玉貸機、  ３…紙幣搬送装置、
４…島端隔壁、５…金庫ＢＯＸ、
１００…紙幣整順部、
１０１…基板フレーム、  １０２、１０３…壁板部、
１１０…回転羽根車、  １１０ａ…羽根部材、
１１１…回転羽根車、  １１１ａ…羽根部材、
１１２…回転軸、
１２０…回転羽根車、  １２０ａ…羽根部材、
１２２…回転軸、
１３０…回転モータ、  １３１〜１３４…歯車、  １３５…タイミングベルト、
１４１…案内部材、  １４１ａ…案内壁部、
１４２…仕切り板、  １４２ａ…天板部、  １４３…一次貯留部、
１５０…押出し板、  １５１ａ、１５１ｂ、１５２ａ、１５２ｂ…ローラ部材、
１５３ａ、１５３ｂ…ブラケット板、  １５４…底板部、  １５５…枢軸、
１５６…連接部材、  １５７…クランク腕、  １５８…クランク軸、
１６０ａ、１６０ｂ…案内レール、  １６１…回転モータ、  １６２…駆動軸、
１７１…起立壁板、  １７２…二次貯留部、  １７３…傾斜面部、
１８１、１８２…繰り出しローラ、  １９０…搬出口
２００…紙幣振分部、  ３００…紙幣収容部、
３０１…搬送チェーン３０１、  ３０２…パネル部材、  ３０３…ローラ
【図１】
2006209628.tif 000003
【図２】
2006209628.tif 000004
【図３】
2006209628.tif 000005
【図４】
2006209628.tif 000006
【図５】
2006209628.tif 000007
【図６】
2006209628.tif 000008
【図７】
2006209628.tif 000009